(57)【要約】      （修正有）【課題】市販の物干竿受具に着脱可能な汎用性ある物干竿止め具の提供。【解決手段】周囲に厚い周縁２３を設けその内方に竿受部２２を設けた腕杆２１を有する物干竿受具Ｄに取り付けられる物干竿止め具において、物干竿止め具は、押え具５、取付体１及び押圧ねじ４を有し、押え具は竿押え部１８を有し取付体に固定され、取付体は一対の半体２、３から成り、半体はそれぞれ上部の支承部８、９と下部の基部６、７を略平行に連結部１０、１１で連結し、基部にはそれぞれねじ孔１２、１３を設けてあり、２つの半体は、それぞれのねじ孔が合致するように基部を重ねて支承部を間隔を置いて対向するように配設され、取付体は、その支承部を腕杆の下側の周縁上面に直接又は間接的に当接させ、押圧ねじ４を下方よりねじ孔に螺合して締め付け、物干竿受具に固定して、竿押え部が物干竿に接触する位置に押え具を固定できるようにしている。【選択図】        図５
2004313266.tif 000002
【特許請求の範囲】
【請求項１】
周囲に厚さの厚い周縁を設けてその内方に竿受部を設けた腕杆を有する物干竿受具に取り付けられる物干竿止め具において、物干竿止め具は、押え具、取付体及び押圧ねじを有し、押え具は竿押え部を有して取付体に固定され、取付体は一対の半体から成り、半体はそれぞれ上部の支承部と下部の基部を略平行に連結部で連結して成り、基部にはそれぞれねじ孔を設けてあり、２つの半体は、それぞれのねじ孔が合致するように基部を重ねて支承部を間隔を置いて対向するように配設され、取付体は、その支承部を腕杆の下側の周縁上面に直接又は間接的に当接させ、押圧ねじを下方よりねじ孔に螺合して締め付け物干竿受具に固定して、竿押え部が物干竿に接触する位置に押え具を固定することができるようにしたことを特徴とする物干竿止め具。
【発明の詳細な説明】
【０００１】
【発明が属する技術分野】
本発明は、建物の壁面やベランダの手摺等に２つを一組として取り付けて、腕杆の竿受部に物干竿を掛け渡して使用する物干竿受具に着脱可能に取り付けられる物干竿止め具であって、物干竿が物干竿受具から容易に外れないようにするためのものである。
【０００２】
【従来の技術】
従来より、特許第３０８０５８３号発明のように、竿受部の近傍に物干竿を押圧できるよう付勢された押え具を設けた物干竿受具において、押え具は、２つの半体から構成し、周縁で囲まれた範囲内を移動可能になるように、２つの半体で両面から竿受部を挟んで取り付け、物干竿を押え具と竿受部で挟持する物干竿受具が提案されている。
【０００３】
【発明が解決しようとする課題】
上記従来例においては、市販されている物干竿受具に取り付けることができないので、本発明は、市販されている物干竿受具に着脱可能に取り付けることができる汎用性のある物干竿止め具を提供することが本発明の課題である。
【０００４】
【課題を解決するための手段】
本発明は、上記の課題を解決するために、周囲に厚さの厚い周縁を設けてその内方に竿受部を設けた腕杆を有する物干竿受具に取り付けられる物干竿止め具において、物干竿止め具は、押え具、取付体及び押圧ねじを有し、押え具は竿押え部を有して取付体に固定され、取付体は一対の半体から成り、半体はそれぞれ上部の支承部と下部の基部を略平行に連結部で連結して成り、基部にはそれぞれねじ孔を設けてあり、２つの半体は、それぞれのねじ孔が合致するように基部を重ねて支承部を間隔を置いて対向するように配設され、取付体は、その支承部を腕杆の下側の周縁上面に直接又は間接的に当接させ、押圧ねじを下方よりねじ孔に螺合して締め付け物干竿受具に固定して、竿押え部が物干竿に接触する位置に押え具を固定することができるようにして成るものである。
【０００５】
【発明の実施の形態】
発明の実施の形態を実施例に基づき図面を参照して説明する。
物干竿止め具は、取付体１、押圧ねじ４及び押え具５から構成されている。
取付体１は、一対の半体２及び半体３から成り、半体２は、矩形板状の基部６と支承部８のそれぞれ一側を矩形板状の連結部１０で連結して成るものであり、基部６は支承部８より幅広で、略中央に円形のねじ孔１２を設け、その両側に円形で小さい位置決め孔１５・１５を突設してある。
【０００６】
また、半体３は、矩形板状の基部７と支承部９のそれぞれ一側を矩形板状の連結部１１で連結して成るものであり、基部７は支承部９より幅広で、略中央に円形のねじ孔１３を設け、その両側裏面に円柱状の位置決め突起１６・１６を突設してある。
【０００７】
半体３の基部７が半体２の基部６の上に重なり、位置決め突起１６・１６が位置決め孔１５・１５に嵌まって、それぞれのねじ孔１２とねじ孔１３が合致するようになっている。そして押圧ねじ４は、半体２のねじ孔１２には螺合せず貫通して、半体３のねじ孔１３に螺合するようになっている。
【０００８】
なお、位置決め孔１５・１５と位置決め突起１６・１６で位置決め部１４を構成しているが、半体２と半体３がねじ孔１２とねじ孔１３が合致するように位置を決められれば本実施例に限定されない。
【０００９】
押え具５は、金属製の線状体を折り曲げて形成されており、平行な２本の脚部１７・１７の先端に、円弧状の竿押え部１８を連設してある。また、脚部１７・１７及び竿押え部１８には、樹脂チューブ１９・２０を被覆してある。この樹脂チューブ１９・２０は、物干竿受具Ｄ及び物干竿Ｐを傷つけないようにするため、及び接触面の摩擦力を高めるためのものである。
【００１０】
物干竿止め具を物干竿受具Ｄに固定するには、２本の脚部１７・１７を物干竿受具Ｄの表裏の周縁２３上に載置して竿押え部１８が竿受部２２に位置するようにし、半体２・半体３のそれぞれ支承部８・支承部９と周縁２３上面で脚部１７・１７を挟むようにする。この際、半体２の位置決め孔１５・１５に半体３の位置決め突起１６・１６を嵌めて両者のねじ孔１２とねじ孔１３が合致するようにし、そこに押圧ねじ４をねじ込み、物干竿受具Ｄの下面を押圧するよう締め付けて固定する。
【００１１】
以上のように本実施例では、押え具５は脚部１７・１７の先端に竿押え部１８を設けて取付体１によって取付体１及び物干竿受具Ｄに固定されるが、支承部８・９の上面に押え具５を予め固定しておいてもよいし、取付体１と押え具５を一体に成形してもよい。この場合、押え具５は、半体２・３にそれぞれ別体のものを固定あるいは一体成形する必要がある。また、押え具５は、半体２あるいは半体３のどちらか一方のみに固定あるいは一体成形してもよい。要するに、押え具５が移動可能で、取付体１を物干竿受具Ｄに固定することによって、竿押え部１８が物干竿Ｐに接触する位置に押え具５を固定することができればよい。
【００１２】
また本実施例では、押え具５の脚部１７・１７を腕杆２１の下側の周縁２３上面と取付体１の支承部８・９で挟んで、押圧ねじ４を下方より締め付けて物干竿受具Ｄに取り付けるようになっている、つまり取付体１の支承部８・９を腕杆２１の下側の周縁２３上面に間接的に当接させているが、上記のように支承部８・９の上面に押え具５を予め固定しておき、取付体１の支承部８・９を腕杆２１の下側の周縁２３上面に直接的に当接させて、押圧ねじ４を下方より締め付けて物干竿受具Ｄに取り付けるようにしてもよい。
【００１３】
使用する時は、竿受部２２に物干竿Ｐを貫通させ、押圧ねじ４を緩めて押え具５を物干竿Ｐに接触するまで移動させ、押圧ねじ４を締め付けて固定すればよい。
【００１４】
【発明の効果】
以上のように本発明によれば、押圧ねじを締め付ければ物干竿受具の竿受部の近傍に固定することができるので、市販されている、周囲に厚さの厚い周縁を設けた物干竿受具に簡単に取り付けることができ、汎用性のある物干竿止め具を提供することができるという効果がある。
また、押圧ねじは、物干竿受具の下方より締め付ける構造なので、物干竿に掛けた洗濯物が引っ掛かったりして邪魔になることがない、さらに、外観的にも目立たず体裁がよいという効果がある。
【図面の簡単な説明】
【図１】使用状態を示す斜視図である。
【図２】使用状態を示す要部の斜視図である。
【図３】図２のＡ−Ａ線拡大端面図である。
【図４】物干竿止め具の斜視図である。
【図５】物干竿止め具の分解斜視図である。
【符号の説明】
Ｄ    物干竿受具
Ｐ    物干竿
１    取付体
２    半体
３    半体
４    押圧ねじ
５    押え具
６    基部
７    基部
８    支承部
９    支承部
１０    連結部
１１    連結部
１２    ねじ孔
１３    ねじ孔
１８    竿押え部
２１    腕杆
２２    竿受部
２３    周縁
【図１】
2004313266.tif 000003
【図２】
2004313266.tif 000004
【図３】
2004313266.tif 000005
【図４】
2004313266.tif 000006
【図５】
2004313266.tif 000007